(57)【要約】【課題】  低階調時の輝度ムラを解消する。【解決手段】  データ線１０３と平行に形成された電源線Ｌは、電源電位ＶELを第1行から第ｍ行に向けて供給する。プリチャージ電位生成回路６０Ａは、走査線駆動回路１００と同期してプリチャージ電位Ｖｐを生成する。即ち、Ｙクロック信号ＹＣＬＫを計数して、計数値をアナログ信号に変換してプリチャージ電位Ｖｐを生成する。従って、選択された走査線１０１に対応する画素回路４００においては、そこに実際に供給される電源電位ＶELに応じたプリチャージ電位Ｖｐが供給される。【選択図】      図１
2006058803.tif 000002
【特許請求の範囲】
【請求項１】
複数の走査線と、複数のデータ線と、前記走査線と前記第データ線との交差に対応して設けられ、供給される電源電位に応じて階調信号の書込時間が変化する複数の画素回路とを備えた電気光学装置であって、
前記データ線の配線方向と同一の方向に配置され、前記複数の画素回路に電源電位を供給する複数の電源線と、
前記複数のデータ線の各々に表示すべき階調に応じた階調信号を書込期間に供給するデータ線駆動回路と、
前記電源線による前記電源電位の降下電圧に応じたプリチャージ電位を生成するプリチャージ電位生成回路と、
前記書込期間の開始前に、前記プリチャージ電位を前記複数のデータ線の各々に供給するプリチャージ回路と、
を備えることを特徴とする電気光学装置。
【請求項２】
前記画素回路は、注入電流に応じた光量の光を発光する発光素子と、前記電源線を介して供給される前記電源電位を基準として、前記階調信号に応じた電圧を記憶する記憶手段と、前記記憶手段に記憶された電圧に応じた前記注入電流を前記発光素子に供給する供給手段とを有することを特徴とする請求項１に記載の電気光学装置。
【請求項３】
前記複数の走査線を順次選択し、選択した走査線に対応する画素回路について前記階調信号を書き込み可能に制御する走査線駆動回路を備え、
前記プリチャージ電位生成回路は、前記走査線駆動回路によって前記階調信号が書き込み可能とされる複数の画素回路を特定し、特定した前記複数の画素回路に供給される前記電源電位が前記電源線の抵抗成分によって降下する降下電圧に応じて前記プリチャージ電位を生成する、
ことを特徴とする請求項１又は２に記載の電気光学装置。
【請求項４】
前記走査線駆動回路は、開始パルスをクロック信号に従って順次シフトして、前記複数の走査線を順次選択する複数の走査信号を生成し、
前記プリチャージ電位生成回路は、前記クロック信号を計数して計数値を出力する計数手段と、
前記計数値に応じた電位を前記プリチャージ電位として出力する変換手段とを、
備えることを特徴とする請求項３に記載の電気光学装置。
【請求項５】
前記複数の電源線は、それらの一端から前記電源電位が供給され、
複数の走査線のうち、最初に選択される走査線が前記電源線の一端側であり、
前記計数手段は、前記クロック信号に従って前記計数値を減少させるダウンカウンタで構成されることを特徴とする請求項４に記載の電気光学装置。
【請求項６】
前記複数の電源線は、それらの一端から前記電源電位が供給され、
複数の走査線のうち、最後に選択される走査線が前記電源線の一端側であり、
前記計数手段は、前記クロック信号に従って前記計数値を増加させるアップカウンタで構成されることを特徴とする請求項４に記載の電気光学装置。
【請求項７】
前記複数の電源線は、それらの両端から前記電源電位が供給され、
前記計数手段は、前記クロック信号に従って前記計数値を増減させるアップダウンカウンタで構成されることを特徴とする請求項４に記載の電気光学装置。
【請求項８】
請求項１乃至７のうちいずれか１項に記載した電気光学装置を備えた電子機器。
【請求項９】
複数の走査線と、複数のデータ線と、前記走査線と前記第データ線との交差に対応して設けられ、供給される電源電位に応じて階調信号の書込時間が変化する複数の画素回路と、前記データ線の配線方向と同一の方向に配置され、前記複数の画素回路に電源電位を供給する複数の電源線と、を備えた電気光学装置の駆動方法であって、
前記複数のデータ線の各々に表示すべき階調に応じた階調信号を書込期間に供給し、
前記電源線による前記電源電位の降下電圧に応じたプリチャージ電位を生成し、
前記書込期間の開始前に、前記プリチャージ電位を前記複数のデータ線の各々に供給する、
ことを特徴とする電気光学装置の駆動方法。
【請求項１０】
前記複数の走査線を順次選択して、選択した走査線に対応する画素回路について前記階調信号を書き込み可能に制御し、
前記電源線による降下電圧に応じたプリチャージ電位を生成する工程において、
前記階調信号が書き込み可能とされる複数の画素回路を特定し、
特定した前記複数の画素回路に供給される前記電源電位が前記電源線の抵抗成分によって降下する降下電圧に応じて前記プリチャージ電位を生成する、
ことを特徴とする請求項９に記載の電気光学装置の駆動方法。
【請求項１１】
前記複数の走査線を順次選択する工程では、開始パルスをクロック信号に従って順次シフトして、前記複数の走査線を順次選択する複数の走査信号を生成し、
前記階調信号が書き込み可能とされる複数の画素回路を特定する工程では、前記クロック信号を計数して計数値を出力し、
特定した前記複数の画素回路に供給される前記電源電位が前記電源線の抵抗成分によって降下する降下電圧に応じて前記プリチャージ電位を生成する工程では、前記計数値に応じた電位を前記プリチャージ電位として出力する、
ことを特徴とする請求項１０に記載の電気光学装置の駆動方法。
【請求項１２】
前記複数の電源線の一端から前記電源電位を供給し、
前記複数の走査線のうち、前記電源線の一端側に位置する走査線を最初に選択し、
前記クロック信号を計数する工程では、前記クロック信号に従って前記計数値を減少させる、
ことを特徴とする請求項１１に記載の電気光学装置の駆動方法。
【請求項１３】
前記複数の電源線の一端から前記電源電位を供給し、
前記複数の走査線のうち、前記電源線の一端側に位置する走査線を最後に選択し、
前記クロック信号を計数する工程では、前記クロック信号に従って前記計数値を増加させる、
ことを特徴とする請求項１１に記載の電気光学装置の駆動方法。
【請求項１４】
前記複数の電源線の両端から前記電源電位を供給し、
前記クロック信号を計数する工程では、前記クロック信号に従って前記計数値を増減させる、
ことを特徴とする請求項１１に記載の電気光学装置の駆動方法。
【発明の詳細な説明】
【技術分野】
【０００１】
本発明は、プリチャージを行う電気光学装置、その駆動方法及び電子機器に関する。
【背景技術】
【０００２】
液晶表示装置に替わる電気光学装置として、有機発光ダイオード素子（以下、ＯＬＥＤ素子と称する。）を備えた装置が注目されている。ＯＬＥＤ（Organic  Light  Emitting  Diode）素子は、電気的にはダイオードのように動作し、光学的には、順バイアス時に発光して順バイアス電流の増加にともなって発光輝度が増加する。
【０００３】
ＯＬＥＤ素子をマトリクス状に配列した電気光学装置は、複数の走査線と、複数のデータ線を備え、走査線とデータ線の交差に対応して画素回路が設けられる。画素回路は、各データ線から供給される電流の値を記憶し、記憶した電流値となるようにＯＬＥＤ素子に駆動電流を供給する機能を有する。
【０００４】
さらに、データ線には浮遊容量が付随するため、電流信号の供給前にプリチャージ電位をデータ線に供給することがある（例えば、特許文献１）。
【特許文献１】特開２００３−１１４６４５号公報
【発明の開示】
【発明が解決しようとする課題】
【０００５】
ところで、画素回路における電流の記憶は、一般に、一方の端子が電源電位に固定された容量素子の他方の端子に電圧を供給することによって行われる。従って、ある画素回路と他の画素回路で電源電位が異なると、容量素子に記憶すべき電圧に到達するまでの書込時間が相違することになる。
しかしながら、電源線の電圧降下によって、一定の電源電位を全ての画素回路に供給することが困難である。従って、画素回路の位置によって書込時間の長短が生じる。特に、低階調を表示させる場合には、書込時間が長くなるので、所定の書込期間中に階調信号を十分書き込むことができないことが起こり得る。このため、従来の表示装置では、画面全体で輝度ムラが発生するといった問題があった。
【０００６】
本発明は上述した問題に鑑みてなされたものであり、輝度ムラを解消することが可能な電気光学装置、その駆動方法及び電子機器を提供することを解決課題とする。
【課題を解決するための手段】
【０００７】
上述した課題を解決するため、本発明に係る電気光学装置は、複数の走査線と、複数のデータ線と、前記走査線と前記第データ線との交差に対応して設けられ、供給される電源電位に応じて階調信号の書込時間が変化する複数の画素回路とを備えたものであって、前記データ線の配線方向と同一の方向に配置され、前記複数の画素回路に電源電位を供給する複数の電源線と、前記複数のデータ線の各々に表示すべき階調に応じた階調信号を書込期間に供給するデータ線駆動回路と、前記電源線による前記電源電位の降下電圧に応じたプリチャージ電位を生成するプリチャージ電位生成回路と、前記書込期間の開始前に、前記プリチャージ電位を前記複数のデータ線の各々に供給するプリチャージ回路と、を備えることを特徴とする。
【０００８】
画素回路への階調信号の書込時間は電源電位に応じて変化するが、電源線における電圧降下によって各画素回路へ供給される実際の電源電位が変化する。この発明によれば、電源線の降下電圧に応じてプリチャージ電位を生成するので、所定の階調を指示する階調信号の書込時間を全ての画素回路で一定になるように近づけることができる。これにより、書き込み不足による輝度ムラを解消して、高品質の画像を表示することが可能となる。ここで、プリチャージ電位生成回路は、どの画素回路においても電源電位とプリチャージ電位との差分電圧が一定になるようにプリチャージ電位を生成することが好ましい。また、電気光学装置には、表示装置及び発光装置が含まれ得る。
【０００９】
また、画素回路は、注入電流に応じた光量の光を発光する発光素子と、前記電源線を介して供給される前記電源電位を基準として、前記階調信号に応じた電圧を記憶する記憶手段と、前記記憶手段に記憶された電圧に応じた前記注入電流を前記発光素子に供給する供給手段とを有することが好ましい。ここで、階調信号は、電圧信号として与えられても良いし、電流信号として与えられてもよい。電流信号として与えられる場合は、その電流値に応じた電圧が記憶手段に記憶されることになる。記憶手段は、例えば、容量素子で構成してもよい。
【００１０】
上述した電気光学装置は、前記複数の走査線を順次選択し、選択した走査線に対応する画素回路について前記階調信号を書き込み可能に制御する走査線駆動回路を備え、前記プリチャージ電位生成回路は、前記走査線駆動回路によって前記階調信号が書き込み可能とされる複数の画素回路を特定し、特定した前記複数の画素回路に供給される前記電源電位が前記電源線の抵抗成分によって降下する降下電圧に応じて前記プリチャージ電位を生成することが好ましい。この場合、走査線単位で画素回路へ階調信号の書き込みが行われるが、走査線の選択と同期して書き込み可能となる１行の画素回路を特定し、当該行における降下電圧に応じてプリチャージ電位を生成することができる。この結果、画面全体で均一な輝度を表示することが可能となる。
【００１１】
また、より具体的な態様としては、前記走査線駆動回路は、開始パルスをクロック信号に従って順次シフトして、前記複数の走査線を順次選択する複数の走査信号を生成し、前記プリチャージ電位生成回路は、前記クロック信号を計数して計数値を出力する計数手段と、前記計数値に応じた電位を前記プリチャージ電位として出力する変換手段とを、備えることが好ましい。この場合には、走査線駆動回路に供給されるクロック信号を計数するので、走査線駆動回路の選択動作と同期してプリチャージ電位を生成することが可能となる。
【００１２】
また、前記複数の電源線は、それらの一端から前記電源電位が供給され、複数の走査線のうち、最初に選択される走査線が前記電源線の一端側である場合には、前記計数手段は、前記クロック信号に従って前記計数値を減少させるダウンカウンタで構成されることが好ましい。
さらに、前記複数の電源線は、それらの一端から前記電源電位が供給され、複数の走査線のうち、最後に選択される走査線が前記電源線の一端側である場合には、前記計数手段は、前記クロック信号に従って前記計数値を増加させるアップカウンタで構成されることが好ましい。
くわえて、前記複数の電源線の両端から前記電源電位が供給される場合には、前記計数手段は、前記クロック信号に従って前記計数値を増減させるアップダウンカウンタで構成されることが好ましい。
次に、本発明に係る電子機器は、上述した電気光学装置を備えたことを特徴とし、例えば、パーソナルコンピュータ、携帯電話、個人情報端末、電子スチルカメラ等が該当する。
【００１３】
次に、本発明に係る電気光学装置の駆動方法は、複数の走査線と、複数のデータ線と、前記走査線と前記第データ線との交差に対応して設けられ、供給される電源電位に応じて階調信号の書込時間が変化する複数の画素回路と、前記データ線の配線方向と同一の方向に配置され、前記複数の画素回路に電源電位を供給する複数の電源線と、を備えた電気光学装置を駆動する方法であって、前記複数のデータ線の各々に表示すべき階調に応じた階調信号を書込期間に供給し、前記電源線による前記電源電位の降下電圧に応じたプリチャージ電位を生成し、前記書込期間の開始前に、前記プリチャージ電位を前記複数のデータ線の各々に供給する、ことを特徴とする。
【００１４】
この発明によれば、電源線の降下電圧に応じてプリチャージ電位を生成するので、所定の階調を指示する階調信号の書込時間を全ての画素回路で一定になるように近づけることができる。これにより、書き込み不足による輝度ムラを解消して、高品質の画像を表示することが可能となる。なお、どの画素回路においても電源電位とプリチャージ電位との差分電圧が一定になるようにプリチャージ電位を生成することが好ましい。
【００１５】
上述した電気光学装置の駆動方法において、前記複数の走査線を順次選択して、選択した走査線に対応する画素回路について前記階調信号を書き込み可能に制御し、前記電源線による降下電圧に応じたプリチャージ電位を生成する工程において、前記階調信号が書き込み可能とされる複数の画素回路を特定し、特定した前記複数の画素回路に供給される前記電源電位が前記電源線の抵抗成分によって降下する降下電圧に応じて前記プリチャージ電位を生成する、ことが好ましい。この場合、走査線単位で画素回路へ階調信号の書き込みが行われるが、走査線の選択と同期して書き込み可能となる１行の画素回路を特定し、当該行における降下電圧に応じてプリチャージ電位を生成することができる。この結果、画面全体で均一な輝度を表示することが可能となる。
【００１６】
より具体的な態様としては、上述した電気光学装置の駆動方法において、前記複数の走査線を順次選択する工程では、開始パルスをクロック信号に従って順次シフトして、前記複数の走査線を順次選択する複数の走査信号を生成し、前記階調信号が書き込み可能とされる複数の画素回路を特定する工程では、前記クロック信号を計数して計数値を出力し、特定した前記複数の画素回路に供給される前記電源電位が前記電源線の抵抗成分によって降下する降下電圧に応じて前記プリチャージ電位を生成する工程では、前記計数値に応じた電位を前記プリチャージ電位として出力する、ことが好ましい。この場合には、走査線の選択に用いるクロック信号を計数するので、走査線の選択動作と同期してプリチャージ電位を生成することが可能となる。
【００１７】
また、前記複数の電源線の一端から前記電源電位を供給し、前記複数の走査線のうち、前記電源線の一端側に位置する走査線を最初に選択するのであれば、前記クロック信号を計数する工程では、前記クロック信号に従って前記計数値を減少させることが好ましい。さらに、前記複数の電源線の一端から前記電源電位を供給し、前記複数の走査線のうち、前記電源線の一端側に位置する走査線を最後に選択するのであれば、前記クロック信号を計数する工程では、前記クロック信号に従って前記計数値を増加させることが好ましい。
くわえて、前記複数の電源線の両端から前記電源電位を供給するのであれば、前記クロック信号を計数する工程では、前記クロック信号に従って前記計数値を増減させる、ことが好ましい。
【発明を実施するための最良の形態】
【００１８】
＜１．第１実施形態＞
図１は、本発明の第１実施形態に係る電気光学装置１の概略構成を示すブロック図である。電気光学装置１は、画素領域Ａ、走査線駆動回路１００、データ線駆動回路２００、制御回路３００、プリチャージ回路５００、プリチャージ電位生成回路６０Ａ、及び電源回路７００を備える。このうち、画素領域Ａには、Ｘ方向と平行にｍ本の走査線１０１及びｍ本の発光制御線１０２が形成される。また、Ｘ方向と直交するＹ方向と平行にｎ本のデータ線１０３が形成される。そして、走査線１０１とデータ線１０３との各交差に対応して画素回路４００が各々設けられている。画素回路４００はＯＬＥＤ素子を含む。また、各画素回路４００には、電源回路７００によって生成された電源電位ＶELが複数の電源線Ｌを介して供給される。この例の電源線Ｌは、データ線１０３と平行に設けられ、その一端から電源電位ＶELが供給される。
【００１９】
走査線駆動回路１００は、複数の走査線１０１を順次選択するための走査信号Ｇwrt1、Ｇwrt2、Ｇwrt3、…、Ｇwrtmを生成すると共に発光制御信号ＧEL1、ＧEL2、ＧEL3、…、ＧELmを生成する。走査信号Ｇwrt1〜Ｇwrtm及び発光制御信号ＧEL1〜ＧELmはＹ転送開始パルスＤＹをＹクロック信号ＹＣＬＫに同期して順次転送することにより生成される。発光制御信号ＧEL1、ＧEL2、ＧEL3、…、ＧELmは、各発光制御線１０２を介して各画素回路４００に各々供給される。走査信号Ｇwrt1は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｇwrt2、Ｇwrt3、…、Ｇwrtmとして供給する。一般的にｉ（ｉは、１≦ｉ≦ｍを満たす整数）行目の走査線１０１に供給される走査信号ＧwrtiがＨレベルになると、当該走査線１０１が選択されたことを示す。
【００２０】
データ線駆動回路２００は、出力階調データＤｏｕｔに基づいて、選択された走査線１０１に位置する画素回路４００の各々に対し階調信号Ｘ１、Ｘ２、Ｘ３、…、Ｘｎを供給する。この例において、階調信号Ｘ１〜Ｘｎは階調輝度を指示する電流信号として与えられる。
【００２１】
制御回路３００は、Ｙクロック信号ＹＣＬＫ、Ｘクロック信号ＸＣＬＫ、Ｘ転送開始パルスＤＹ、Ｙ転送開始パルスＤＹ等の各種の制御信号を生成してこれらを走査線駆動回路１００及びデータ線駆動回路２００へ出力する。また、制御回路３００は、外部から供給される入力階調データＤｉｎにガンマ補正等の画像処理を施して出力階調データＤｏｕｔを生成する。
【００２２】
プリチャージ電位生成回路６０Ａは、その詳細については後述するが、選択される走査線１０１に応じたプリチャージ電位Ｖｐを生成する。プリチャージ回路５００は、各データ線１０３に対応して設けられた複数のスイッチングトランジスタを備える。スイッチングトランジスタは、プリチャージ期間においてアクティブ（Ｈレベル）となるプリチャージ制御信号Ｖgpreによってオン・オフが制御される。プリチャージ期間は、階調信号Ｘ１〜Ｘｎの書込期間の前に設けられており、当該期間において、データ線１０３にプリチャージ電位Ｖｐが供給される。
【００２３】
次に、画素回路４００について説明する。図２に、画素回路４００の回路図を示す。同図に示す画素回路４００は、ｉ行目の対応するものであり、電源電位ＶELが電源線Ｌを介して供給される。画素回路４００は、４個のＴＦＴ４０１〜４０４と、容量素子４１０と、ＯＬＥＤ素子４２０とを備える。ＴＦＴ４０１〜４０４の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electronic  Luminescence）材料が用いられる。発光層の製造プロセスでは、インクジェット方式のヘッドから有機ＥＬ材料を液滴として吐出し、これを乾燥させている。
【００２４】
駆動トランジスタであるＴＦＴ４０１はｐチャネル型、スイッチングトランジスタであるＴＦＴ４０２〜４０４はｎチャネル型である。ＴＦＴ４０１のソース電極は電源線Ｌに接続される一方、そのドレイン電極はＴＦＴ４０３のドレイン電極、ＴＦＴ４０４のドレイン電極及びＴＦＴ４０２のソース電極にそれぞれ接続される。
【００２５】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号ＧELiが供給される。なお、ＯＬＥＤ素子４２０の陰極は、画素回路４００のすべてにわたって共通の電極であり、電源における低位（基準）電位となっている。
【００２６】
このような構成において、走査信号ＧwrtiがＨレベルになると、ｎチャネル型ＴＦＴ４０２がオン状態となるので、ＴＦＴ４０１は、ゲート電極とドレイン電極とが互いに接続されたダイオードとして機能する。走査信号ＧwrtiがＨレベルになると、ｎチャネル型ＴＦＴ４０３も、ＴＦＴ４０２と同様にオン状態となる。この結果、データ線駆動回路２００の電流Ｉdataが、電源線Ｌ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００２７】
走査信号ＧwrtiがＬレベルになると、ＴＦＴ４０３、４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電位は、電流Ｉdataが流れたときの電位に保持される。また、走査信号ＧwrtiがＬレベルになると、発光制御信号ＧELiがＨレベルとなる。このため、ＴＦＴ４０４がオンし、ＴＦＴ４０１のソース・ドレイン間には、そのゲート電圧に応じた注入電流Ｉoledが流れる。詳細には、この電流は、電源線Ｌ→ＴＦＴ４０１→ＴＦＴ４０４→ＯＬＥＤ素子４２０という経路で流れる。
【００２８】
ここで、ＯＬＥＤ素子４２０に流れる注入電流Ｉoledは、ＴＦＴ４０１のゲート・ソース間電圧で定まるが、その電圧は、Ｈレベルの走査信号Ｇwrtiによって電流Ｉdataがデータ線１０３に流れたときに、容量素子４１０によって保持された電圧である。このため、発光制御信号ＧELiがＨレベルになったときに、ＯＬＥＤ素子４２０に流れる注入電流Ｉoledは、直前に流れた電流Ｉdataに略一致する。このように画素回路４００は、電流Ｉdataによって発光輝度を規定することから、電流プログラム方式の回路である。
【００２９】
図３に、画素回路４００のタイミングチャートを示す。時刻ｔ１から時刻ｔ２まではプリチャージ期間である。データ線１０３には浮遊容量が付随しており、当該期間において浮遊容量にプリチャージ電位Ｖｐが書き込まれる。このため、データ線１０３のデータ線圧Ｖdataは、プリチャージ電位Ｖｐとなる。そして、時刻ｔ３から時刻ｔ４までの書込期間において、電流Ｉdataの書き込みが行われる。同図に示すように低階調側でデータ電圧Ｖdataの波形の立ち上がりが遅くなる。
【００３０】
データ線１０３の容量をＣdata、容量素子４１０の容量値をＣhold、プリチャージ電位Ｖｐから書き込み終了電位までの書込電位Ｖholdにおける電位変化をΔＶ、書込電流値をＩとし、電位が安定するまでの時間、つまり、書込時間をΔｔとする。電位を書き込む前後における、データ線１０３及び容量素子４１０における電荷量の変化と、電流源の電流量と電流源で電荷を引き抜いた時間の積は等しい。したがって、以下に示す式（１）が成立する。
【００３１】
（Ｃdata＋Ｃhold）・ΔＶ＝Ｉ・Δｔ…式（１）
よって、書込時間Δｔは、以下の式（２）で与えられる。
Δｔ＝（Ｃdata＋Ｃhold）・ΔＶ／Ｉ…式（２）
式（２）より、書き込み電流量Ｉが小さい、つまり、低階調時に書込時間Δｔが長くなる。このため、時刻ｔ３から時刻ｔ４までの書込期間は、Δｔより長くなるように選定されている。
【００３２】
ところで、上述したように注入電流Ｉdataは、トランジスタ４０１のゲート・ソース間電圧Ｖｇｓによって定まる。ここで、ソース電位は電源電位ＶELであり、ゲート電位は、書込電位Ｖholdとなるから、Ｖｇｓ＝Ｖhold−ＶELとなる。上述したプリチャージ動作によって、低階調時に正確に書込電位Ｖholdを容量素子４１０に書き込むことが可能になる。注入電流Ｉoledは、電源電位ＶELをパラメータとして持つため、画面全体で均一な階調を得るためには、どの画素回路４００に供給される電源電位ＶELも等しくなければならない。
【００３３】
しかしながら、電源電位ＶELは電源線Ｌを介して供給されるため、電源線Ｌの分布抵抗によって、電位が降下する。
図４に、電源電位ＶELの降下の説明図を示す。この例では、隣接する画素回路４００の間の電源線Ｌに分布する抵抗の値をΔＲとし、１個の画素回路４００で消費される電流の値をΔＩとする。この場合、隣接する画素回路４００の間では、ΔＩ・ΔＲの電圧が降下する。ここで、第ｊ（ｊは１≦ｊ≦ｍまでの自然数）行目の画素回路４００に供給される電源電位は、図４に示すようにｊをパラメータとする関数で表すことができる。換言すれば、画素回路４００が位置する行数によって実際に供給される電源電位は相違する。第ｊ行目における電圧降下をΔＶ（ｊ）、実際の電源電位をＶEL（ｊ）とすれば、ＶEL（ｊ）＝ＶEL−ΔＶ（ｊ）となる。
【００３４】
従って、プリチャージ電位Ｖｐを常に一定にすると、ΔＶ（ｊ）の小さい、即ち、電源線Ｌに電源電位ＶELを供給する側（この例では、第１行目）に位置する程、低階調の階調信号を書き込むのに時間を要することになる。そこで、本実施形態においては、電源線Ｌの降下電圧に応じたプリチャージ電位Ｖｐを生成し、所定のプチャージ期間で低階調の書き込みが終了するようにしている。
【００３５】
図５に、プリチャージ電位生成回路６０Ａのブロック図を示す。この図に示すようにプリチャージ電位生成回路６０Ａは、カウンタ回路６１０とデジタルアナログ変換回路（以下、ＤＡＣと称する。）６２０とを備える。カウンタ回路６１０は、Ｙ転送開始パルスＤＹがアクティブになると、初期値をロードして、Ｙクロック信号ＹＣＬＫに同期して計数値をダウンカウントする。ＤＡＣ６２０は計数値をアナログ信号に変換してプリチャージ電位Ｖｐを生成する。カウンタ回路６１０は、走査線駆動回路１００が選択する走査線１０１を特定する手段として機能し、ＤＡＣ６２０は、計数値に応じたプリチャージ電位Ｖｐを出力する手段として機能する。ここで、ＤＡＣ６２０の変換特性は、ΔＶ（ｊ）を相殺できるように設定することが好ましい。この場合、実際の電源電位Ｖddとプリチャージ電位Ｖｐとの差分電圧をＶdfとしたとき、画素回路４００がどの行に位置するかに拘らず、差分電圧Ｖdfを一定にすることができる。
【００３６】
図６に本実施形態に係る電気光学装置の動作を示すタイミングチャートを示す。走査線駆動回路１００は、Ｙ転送開始パルスＤＹをＹクロック信号ＹＣＬＫに同期して順次シフトして、イネーブル信号ＥＮＢがＬレベルの期間にアクティブとなる走査信号Ｇwrt1、Ｇwrt2、…、Ｇwrtmを順次生成する。また、プリチャージ制御信号Ｖgpreは、Ｙクロック信号ＹＣＬＫの立ち上がりエッジに同期してＨレベル（アクティブ）となり、イネーブル信号ＥＮＢの立ち下りエッジに同期してＬレベル（非アクティブ）となる。従って、各走査信号Ｇwrt1、Ｇwrt2、…、Ｇwrtmがアクティブとなって書込期間が開始する前にプリチャージ制御信号Ｖgpreがアクティブになる。
【００３７】
プリチャージ制御信号Ｖgpreがアクティブになると、プリチャージ電位Ｖｐが各データ線１０３に供給される。ここで、プリチャージ電位Ｖｐは、選択される走査線１０１に応じて１フレーム期間（１Ｆ）に渡って減少する。一方、実際の電源電位Ｖddは、第１行目に位置する画素回路４００に供給されるものが最もＶELに近く、行数が大きくなる程、低くなる。この例では、差分電圧Ｖdfが一定になるようにプリチャージ電位Ｖｐが生成される。これにより、どこに位置する画素回路４００においても同一の条件で階調信号の書き込みが実行される。この結果、画素領域Ａ全体に均一な画像を表示させることが可能となる。
【００３８】
＜２．第２実施形態＞
図７に第２実施形態に係わる電気光学装置２のブロック図を示す。この電気光学装置２は、電源線Ｌの両端から電源電位ＶELを供給する点、及びプリチャージ電位生成回路６０Ａの替わりにプリチャージ電位生成回路６０Ｂを用いる点を除いて同様に構成されている。本実施形態においては、電源電位ＶELが電源線Ｌの両端から供給されるので、各画素回路４００に実際に供給される電源電位Ｖddは、第ｍ／２行目で最小となり、第１行及び第ｍ行で最大となる。
【００３９】
図８にプリチャージ電位生成回路６０Ｂのブロック図を示す。この図に示すように、プリチャージ電位生成回路６０Ｂは、アップダウンカウンタ回路６１１とＤＡＣ６２０を備える。アップダウンカウンタ回路６１１は、Ｙ転送開始パルスＤＹがアクティブになると初期値をロードして、ダウンカウントを開始し、計数値が「０」になるとアップカウントを開始する。この例では、初期値をｍ／２に設定してある。アップダウンカウンタ回路６１１は、Ｙクロック信号ＹＣＬＫを計数するので、走査線駆動回路１００がｍ／２行目の画素回路４００を選択するとき、その計数値が「０」となる。ＤＡＣ６２０はアップダウンカウンタ回路６１１の計数値をアナログ信号に変換してプリチャージ電位Ｖｐを生成する。第２実施形態おいても、第１実施形態と同様にＤＡＣ６２０の変換特性は、ΔＶ（ｊ）を相殺できるように設定される。この結果、画素回路４００がどの行に位置するかに拘らず、差分電圧Ｖdfは一定となる。
【００４０】
図９に第２実施形態に係る電気光学装置２の動作を示すタイミングチャートを示す。この図に示すように、プリチャージ電位Ｖｐは、選択される走査線１０１に応じて設定される。一方、実際の電源電位Ｖddは、第１行目に位置する画素回路４００に供給されるものが最もＶELに近く、行数がｍ／２大きくなる程、低くなる。この例では、差分電圧Ｖdfが一定になるようにプリチャージ電位Ｖｐが生成される。これにより、どこに位置する画素回路４００においても同一の条件で階調信号の書き込みが実行される。この結果、画素領域Ａ全体に均一な画像を表示させることが可能となる。
【００４１】
なお、上述した第１実施形態では、複数の電源線Ｌの一端から電源電位ＶELを供給し、電源線Ｌの一端側に位置する走査線１０１を最初に選択したが、本発明はこれに限定されるものではなく、電源線Ｌの一端側に位置する走査線を最後に選択してもよい。この場合、電気光学装置は図１０に示すように構成され、電源電位ＶELが下側から供給される。ここで、プリチャージ電位生成回路６０Ａのカウンタ回路６１０は、Ｙクロック信号ＹＣＫを初期値からアップカウントするアップカウンタで構成すればよい。
【００４２】
＜３．応用例＞
次に、上述した実施形態及び変形例に係る電気光学装置１を適用した電子機器について説明する。図１１に、電気光学装置１又は２を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置はＯＬＥＤ素子４２０を用いるので、視野角が広く見易い画面を表示できる。
【００４３】
図１２に、電気光学装置１又は２を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００４４】
図１３に、電気光学装置１又は２を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００４５】
なお、電気光学装置１又は２が適用される電子機器としては、図１１〜１３に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置が適用可能である。
【図面の簡単な説明】
【００４６】
【図１】本発明の第１実施形態に係る電気光学装置１の構成を示すブロック図である。
【図２】同装置における画素回路の構成を示す回路図である。
【図３】同装置における画素回路の動作を示すタイミングチャートである。
【図４】同装置における電源電位の降下を説明するための説明図である。
【図５】同装置に設けるプリチャージ電位生成回路６０Ａの構成を示すブロック図である。
【図６】同装置の動作を示すタイミングチャートである。
【図７】本発明の第２実施形態に係る電気光学装置２の構成を示すブロック図である。
【図８】同装置に設けるプリチャージ電位生成回路６０Ｂの構成を示すブロック図である。
【図９】同装置の動作を示すタイミングチャートである。
【図１０】変形例に係る電気光学装置の構成を示すブロック図である。
【図１１】同装置を適用したモバイル型のパーソナルコンピュータの構成を示す斜視図である。
【図１２】同装置を適用した携帯電話機の構成を示す斜視図である。
【図１３】同装置を適用した携帯情報端末の構成を示す斜視図である。
【符号の説明】
【００４７】
１，２…電気光学装置、６０Ａ，６０Ｂ…プリチャージ電位生成回路、１００…走査線駆動回路、６１０…カウンタ回路、６１１…アップダウンカウンタ回路、６２０…ＤＡＣ、Ｌ…電源線、Ｇwrt1〜Ｇwrtm…走査信号、ＹＣＬＫ…Ｙクロック信号、ＤＹ…Ｙ転送開始パルス。
【図１】
2006058803.tif 000003
【図２】
2006058803.tif 000004
【図３】
2006058803.tif 000005
【図４】
2006058803.tif 000006
【図５】
2006058803.tif 000007
【図６】
2006058803.tif 000008
【図７】
2006058803.tif 000009
【図８】
2006058803.tif 000010
【図９】
2006058803.tif 000011
【図１０】
2006058803.tif 000012
【図１１】
2006058803.tif 000013
【図１２】
2006058803.tif 000014
【図１３】
2006058803.tif 000015